【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
複数の鎖樋素体を上下方向に配設した鎖樋において、鎖樋素体を軸体に対して回転自在に取付け、該軸体に対して回転自在に取付けた鎖樋素体が、上下に開口した筒体内に雨水の流水力を受けて当該鎖樋素体を回転させる回転作用部と、筒体の外部に風力を受けて当該鎖樋素体を回転させる回転作用部を設けて構成してあることを特徴とする鎖樋。
【請求項２】
上下方向に長い線状材により軸体を構成し、線状材に鎖樋素体を上下方向に複数取付けると共に、複数の鎖樋素体の全部又は一部を線状材に対して回転自在として成ることを特徴とする請求項１記載の鎖樋。
【請求項３】
鎖樋素体を回転自在に取付けた軸体に繋ぎ部を設け、上下の鎖樋素体を繋ぎ部で繋ぐことを特徴とする請求項１記載の鎖樋。
【請求項４】
軸体に回転自在に取付けた鎖樋素体を、軸体に対して浮かせる手段を設けて成ることを特徴とする請求項１乃至請求項３のいずれかに記載の鎖樋。
【手続補正２】
【補正対象書類名】明細書
【補正対象項目名】０００８
【補正方法】変更
【補正の内容】
【０００８】
上記課題を解決するために本発明に係る鎖樋は、複数の鎖樋素体１を上下方向に配設した鎖樋２である。そして、鎖樋素体１を軸体３に対して回転自在に取付け、該軸体３に対して回転自在に取付けた鎖樋素体１が、上下に開口した筒体７内に雨水の流水力を受けて当該鎖樋素体１を回転させる回転作用部４と、筒体７の外部に風力を受けて当該鎖樋素体１を回転させる回転作用部４を設けて構成してあることを特徴とするものである。
【手続補正３】
【補正対象書類名】明細書
【補正対象項目名】０００９
【補正方法】変更
【補正の内容】
【０００９】
このような構成とすることで、流下する雨水の流水力又は風力を回転作用部４で受けることで鎖樋素体１を回転させて自然力により「鎖樋素体１が回転する様子を見せる機能」を備えており、従来の鎖樋２では発揮できなかった新しい見せる機能を備えた鎖樋２を提供できる。しかも、鎖樋素体１を回転させるに当って、雨水の流下力又は風力という鎖樋素体１に作用する自然力を利用して回転させるものであるから鎖樋２の構成が簡略化できる。
また、風力、雨水の流水力により鎖樋素体１を回転させることができ、降水はないが風が吹いている時、風は吹いていないが降水時、降水時で且つ風が吹いている時のいずれの場合も鎖樋素体１を回転させることができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００２４
【補正方法】変更
【補正の内容】
【００２４】
図１乃至図３には本発明を説明する参考例の形態が示してあり、本参考例の形態においては、ワイヤーや棒材のように上下方向に長い線状材５により軸体３を構成し、この線状材５に鎖樋素体１を上下方向に複数取付けてあり、複数の鎖樋素体１の全部又は一部が線状材５に対して回転自在に取付けてある。鎖樋素体１を線状材５よりなる軸体３に回転自在に取付けるには、例えば、鎖樋素体１の中心に中心軸部１０を設け、この中心軸部１０に上下に貫通する孔１１をあけ、該孔１１に線状材５を遊挿し、線状材５に設けた落下防止部１２に中心軸部１０の下端を載置することで、鎖樋素体１を線状材５に回転自在に取付ける。
【手続補正９】
【補正対象書類名】明細書
【補正対象項目名】００２６
【補正方法】変更
【補正の内容】
【００２６】
図１乃至図３に示す参考例の形態においては、筒体７内に螺旋状に回転羽根部１３を１乃至複数中心軸部１０周りに設けることで回転作用部４が構成してあり、回転羽根部１３の内周縁及び外周縁はそれぞれ中心軸部１０及び筒体７内面に当接又は固着又は一体化してある。
【手続補正１０】
【補正対象書類名】明細書
【補正対象項目名】００２７
【補正方法】変更
【補正の内容】
【００２７】
本参考例の形態は筒状をした鎖樋素体１の上開口１４から鎖樋素体１内に雨水が流入すると、雨水は中心軸部１０周りに形成した螺旋状をした回転羽根部１３の傾斜面に当って回転羽根部１３上を螺旋流となって流下するものであるが、この際、上開口１４から回転羽根部１３の傾斜面に図１の矢印イのように当ることで回転羽根部１３が軸体３である線状材５を中心に回転する力が作用し、また、螺旋状となった回転羽根部１３に沿って雨水が螺旋流となって鎖樋素体１内を流れることで、鎖樋素体１を更に回転する力が作用し、これにより鎖樋素体１が線状材５を中心に図１の矢印ロのように回転する。
【手続補正１１】
【補正対象書類名】明細書
【補正対象項目名】００３１
【補正方法】変更
【補正の内容】
【００３１】
この参考例の形態においては、上記のように雨水が流れると、雨水の流水力により鎖樋素体１が回転する様子が見え、また、上下の鎖樋素体１間の隙間１６においては雨水が螺旋流となって流れる様子が見える。これにより、従来の鎖樋素体１が回転せず、また、鎖樋素体１間の隙間１６においては雨水が真っ直ぐ流れる様子しか見えないものに比べて、従来の鎖樋２では現出できなかった、雨水の動き、鎖樋素体１の動きを現出できることになる。
【手続補正１２】
【補正対象書類名】明細書
【補正対象項目名】００３２
【補正方法】変更
【補正の内容】
【００３２】
もちろん、上記参考例では全部の鎖樋素体１を軸体３を構成する線状材５に対して回転できるようにした例で説明したが、一部の鎖樋素体１が回転作用部４を備えて軸体３に対して回転できるが、他の鎖樋素体１は回転作用部４を備えず且つ回転しないようにしたものであってもよく、この場合は、鎖樋２を構成する複数の鎖樋素体１のうち一部の鎖樋素体１が回転し、一部が鎖樋素体１が回転しない状態となり、回転する鎖樋素体１の下端から雨水が螺旋流で流下する様子が見え、回転しない鎖樋素体１の下端から雨水が下方に真っ直ぐ流下する様子が見え、回転する鎖樋素体１と回転しない鎖樋素体１とが上下方向に混在すると共に、螺旋流と、真っ直ぐな流れとが上下方向に混在し、変化に富んだ雨水の動き、鎖樋素体１の動、静の対比とが強調される鎖樋２を提供できる。
【手続補正１３】
【補正対象書類名】明細書
【補正対象項目名】００３４
【補正方法】変更
【補正の内容】
【００３４】
図１乃至図３に示す参考例の形態においては、複数の回転する鎖樋素体１が雨水の流水力により同じ方向に回転するようになっている。もちろん、これにのみ限定されず、図４、図５のように、回転する鎖樋素体１のうちいずれかが一方向に回転し、他の回転する鎖樋素体１が該一方向（矢印ロ方向）と逆方向（矢印ニ方向）に回転するようにしてもよい。この場合、使用する鎖樋素体１として、図３に示す鎖樋素体１と、図６に示す回転作用部４を構成する螺旋状をした回転羽根部１３の螺旋の巻き方向が逆になった鎖樋素体１とを併用して上下に配設する。
【手続補正１４】
【補正対象書類名】明細書
【補正対象項目名】００３６
【補正方法】変更
【補正の内容】
【００３６】
図４、図５に示す参考例の形態では雨水の流水力により一方向に回転する鎖樋素体１と、逆方向に回転する鎖樋素体１とを上下に交互に配置した例を示しているが、必ずしもこれにのみ限定されず、一方向に回転する鎖樋素体１と、逆方向に回転する鎖樋素体１とを上下方向に配置する形態は任意に選択することができる。
【手続補正１５】
【補正対象書類名】明細書
【補正対象項目名】００３９
【補正方法】変更
【補正の内容】
【００３９】
また、図７、図８に示す参考例の形態では、流水力によって回転する複数の鎖樋素体１を用いて鎖樋２を構成するに当って、回転方向が異なる鎖樋素体１と、回転速度が異なる鎖樋素体１とを組み合わせた例で示したが、回転方向が同じ方向であるが回転速度の異なる複数の鎖樋素体１の上下方向に混在させて鎖樋２を形成してもよい。
【手続補正１６】
【補正対象書類名】明細書
【補正対象項目名】００４０
【補正方法】変更
【補正の内容】
【００４０】
また、上記例においては、ワイヤーや棒材のように上下方向に長い線状材５により軸体３を構成し、この線状材５に鎖樋素体１を上下方向に複数取付けた例を示したが、図９乃至図１１に示すように、鎖樋素体１を回転自在に取付けた軸体３に繋ぎ部６を設け、上下の鎖樋素体１を繋ぎ部６で繋ぐことで、上下方向に複数の鎖樋素体１を配設した鎖樋２を構成するようにしてもよい。図９乃至図１１の参考例の形態では、上端部又は下端部のいずれかに上又は下の繋ぎ部６を設けた軸体３を中心軸部１０の孔１１に遊挿し、軸体３の下端又は上端に下又は上の繋ぎ部６を取付ける。下の繋ぎ部６の上部には中心軸部１０の下端部の下端が落下するための落下防止部１２が設けてある。そして、上の鎖樋素体１の軸体３の下端部に設けた下の繋ぎ部６に、下の鎖樋素体１の軸体３の上端部に設けた上の繋ぎ部６を連結して繋ぐことで上下に複数の鎖樋素体１を配設した鎖樋２を構成することができる。
【手続補正１７】
【補正対象書類名】明細書
【補正対象項目名】００４２
【補正方法】変更
【補正の内容】
【００４２】
図１２にはその参考例の形態が示してあり、鎖樋素体１の筒体７の外周面に回転羽根部１３を突設して回転作用部４を構成した例である。つまり、風が吹いて軸体３に対して回転自在に取付けた鎖樋素体１の外周部の回転羽根部１３に風が当ると、鎖樋素体１が回転するようになっている。この形態においては、雨が降っている時、雨が降っていない時のいずれの場合であっても、風が吹いていれば、鎖樋素体１が回転をする。
【手続補正１８】
【補正対象書類名】明細書
【補正対象項目名】００４７
【補正方法】変更
【補正の内容】
【００４７】
そして、これら各種の形態の鎖樋素体１を上下方向に適宜組み合わせて、前述の各形態と同様に、同一方向に回転させる鎖樋素体１を上下方向に配設して鎖樋２を形成したり、回転方向が異なる鎖樋素体１を上下方向に混在させて鎖樋２を形成したり、回転速度が異なる鎖樋素体１を上下方向に混在させて鎖樋２を形成したり、回転方向、回転速度が異なる鎖樋素体１を上下方向に混在させて鎖樋２を形成したりしてもよい。
【手続補正１９】
【補正対象書類名】明細書
【補正対象項目名】００４８
【補正方法】削除
【補正の内容】
【手続補正２０】
【補正対象書類名】明細書
【補正対象項目名】００４９
【補正方法】削除
【補正の内容】
【手続補正２１】
【補正対象書類名】明細書
【補正対象項目名】００５０
【補正方法】削除
【補正の内容】
【手続補正２２】
【補正対象書類名】明細書
【補正対象項目名】００５１
【補正方法】変更
【補正の内容】
【００５１】
上記いずれの形態においても、軸体３に回転自在に取付けた雨水の流水力又は風力により回転する鎖樋素体１に、当該鎖樋素体１が雨水の流水力又は風力により回転する際に、当該鎖樋素体１の回転の視認を強調させるための回転視認強調手段８を設けてもよい。
【手続補正２３】
【補正対象書類名】明細書
【補正対象項目名】００５２
【補正方法】変更
【補正の内容】
【００５２】
例えば、鎖樋素体１の外周面の周方向の一部を他の部分と色あるいは形状を異ならせて該色あるいは形状を違わせることで回転視認強調手段８を構成する。この形態では鎖樋素体１が回転すると外周面の周方向の一部の色あるいは形状の異なる部分である回転視認強調手段８が軸体３を中心に公転するように視認できて、鎖樋素体１の回転がより強調して視認できることになる。図１２、１３の形態では外部に露出する回転作用部４が回転視認強調手段８を兼用している。
【手続補正２４】
【補正対象書類名】明細書
【補正対象項目名】００５５
【補正方法】変更
【補正の内容】
【００５５】
図１５には本発明を説明する他の参考例の形態が示してあり、本形態においては軸体３に回転自在に取付けた鎖樋素体１を、軸体３に対して浮かせる手段１９を設けたものである。浮かせる手段１９としては、軸体３に回転自在に遊挿した鎖樋素体１の下端部とこれに対向する軸体３の部位にそれぞれ対向する部分が同極となった永久磁石２０を設けることで鎖樋素体１を軸体３に対して浮かせる手段１９を構成したものであり、同極となった永久磁石２０の反発力で鎖樋素体１が軸体３に対して浮いた状態になっている。このように鎖樋素体１を軸体３に対して浮いた状態で回転自在とすることで、流水力が小さい場合や風力が小さい場合であっても、軽く鎖樋素体１を回転させることができる。
【手続補正２５】
【補正対象書類名】明細書
【補正対象項目名】００５６
【補正方法】変更
【補正の内容】
【００５６】
【図１】本発明を説明する参考例の一形態の鎖樋の正面図である。
【図２】同上の断面図である。
【図３】同上に用いる鎖樋素体を示し、（ａ）は平面図であり、（ｂ）は斜視図であり、（ｃ）は一部破断した斜視図である。
【図４】本発明を説明する参考例の他の形態の鎖樋の正面図である。
【図５】同上の断面図である。
【図６】同上に用いる鎖樋素体の他の例を示し、（ａ）は平面図であり、（ｂ）は斜視図であり、（ｃ）は一部破断した斜視図である。
【図７】本発明を説明する参考例の更に他の形態の鎖樋の正面図である。
【図８】同上の断面図である。
【図９】本発明を説明する参考例の更に他の形態の鎖樋の正面図である
【図１０】同上の断面図である。
【図１１】同上に用いる鎖樋素体を示し、（ａ）は斜視図であり、（ｂ）は分解斜視図である。
【図１２】本発明を説明する参考例の鎖樋素体の他の形態を示し、（ａ）は斜視図であり、（ｂ）は平面図である。
【図１３】本発明に用いる鎖樋素体の実施形態を示し、（ａ）は斜視図であり、（ｂ）は平面図である。
【図１４】本発明を説明する参考例の鎖樋素体に回転視認強調手段を設けた一例を示す斜視図である。
【図１５】本発明を説明する参考例の鎖樋素体を浮かせる例を示す断面図である。
【手続補正２６】
【補正対象書類名】図面
【補正対象項目名】図１４
【補正方法】変更
【補正の内容】
【図１４】
2009209619.tif 000001
【手続補正２７】
【補正対象書類名】図面
【補正対象項目名】図１５
【補正方法】変更
【補正の内容】
【図１５】
2009209619.tif 000002
【手続補正２８】
【補正対象書類名】図面
【補正対象項目名】図１６
【補正方法】削除
【補正の内容】